(57)【特許請求の範囲】
【請求項１】
キーボード（１１）を有するパソコン本体（１０）と、このパソコン本体（１０）に対して開閉可能に設けられた蓋体（２０）とを備えたノートパソコンにおいて、
前記蓋体（２０）の枠部（２１）に、当該蓋体（２０）が開かれたときに、前記キーボード（１１）を照らす、ディスプレイ（２３）とは別の照明手段（４０）が設けられ、
パソコン本体（１０）または蓋体（２０）に設けられた明暗センサー（５１）と、
この明暗センサー（５１）により検出された明るさが、キーボード操作に支障を来さない明るさ以下であるとき、前記照明手段（４０）による照明を行う制御部（５０）と、
前記ディスプレイ（２３）とは別の照明手段（４０）による照明の明るさを調整可能な可変スイッチ（５２）と、
を備え、
可変スイッチ（５２）は、パソコン本体（１０）に関し、明暗センサー（５１）と反対側に設けられていることを特徴とするノートパソコン。
【発明の詳細な説明】
【技術分野】
【０００１】
本発明は、ノートパソコンに関するものである。
【背景技術】
【０００２】
従来、例えば特許文献１の図１に見られるように、キーボードを有するパソコン本体と、このパソコン本体に対して開閉可能に設けられた蓋体とを備えたノートパソコンが知られている。
【０００３】
この種パソコンを周辺が暗い環境、例えば夜間に室内で使用する際、他に人がいる場合等には、部屋全体の照明をつけることがはばかられることがある。
【０００４】
一方、蓋体の内面にはディスプレイ（液晶画面）があり、このディスプレイから多少の明かりは発せられるが、その明かりだけではキーボードの操作をしにくいこともある。
【先行技術文献】
【特許文献】
【０００５】
【特許文献１】特開2007-115218号公報
【発明の概要】
【発明が解決しようとする課題】
【０００６】
本発明が解決しようとする課題は、周辺が暗い環境でもキーボードの操作を行いやすいノートパソコンを提供することである。
【課題を解決するための手段】
【０００７】
上記課題を解決するために、本発明のノートパソコンは、
キーボードを有するパソコン本体と、このパソコン本体に対して開閉可能に設けられた蓋体とを備えたノートパソコンにおいて、
前記蓋体の枠部に、当該蓋体が開かれたときに、前記キーボードを照らす、ディスプレイとは別の照明手段が設けられ、
パソコン本体または蓋体に設けられた明暗センサーと、
この明暗センサーにより検出された明るさが、キーボード操作に支障を来さない明るさ以下であるとき、前記照明手段による照明を行う制御部と、
前記ディスプレイとは別の照明手段による照明の明るさを調整可能な可変スイッチと、
を備え、
可変スイッチは、パソコン本体に関し、明暗センサーと反対側に設けられていることを特徴とする。
【０００８】
このノートパソコンによれば、
蓋体の枠部に、当該蓋体が開かれたときに、キーボードを照らす照明手段が設けられているので、周辺が暗い環境でもキーボードの操作を行いやすいなる。
【０００９】
このノートパソコンは、
パソコン本体または蓋体に設けられた明暗センサーと、
この明暗センサーにより検出された明るさが、キーボード操作に支障を来さない明るさ以下であるとき、前記照明手段による照明を行う制御部と、
を有しているので、パソコン使用環境の明るさが、キーボード操作に支障を来さない明るさ以下であるとき（キーボード操作に支障を来す暗さであるとき）、明暗センサーおよび制御部の作動で、照明手段による照明がなされるので、照明手段のＯＮ／ＯＦＦ操作を行う必要がなくなる。
【００１１】
このノートパソコンは、
前記照明手段による照明の明るさを調整可能な可変スイッチを備えているので、使用者の好みに合わせて明るさを調整することができる。
【００１３】
このノートパソコンは、
前記可変スイッチは、パソコン本体に関し、明暗センサーと反対側に設けられているので、可変スイッチを操作する手指の陰の影響が、明暗センサーに及ばない（少なくとも及びにくくなる）。
【図面の簡単な説明】
【００１５】
【図１】本発明に係るノートパソコンの実施の形態を示す斜視図。
【図２】同じく正面図。
【図３】（ａ）は図２における３−３概略断面図、（ｂ）は照明手段の概略断面図。
【発明を実施するための形態】
【００１６】
以下、本発明に係るノートパソコンの実施の形態について図面を参照して説明する。なお、各図において、同一部分ないし相当する部分には、同一の符号を付してある。
【００１７】
図１〜図３に示すように、この実施の形態のノートパソコン１は、
キーボード１１を有するパソコン本体１０と、このパソコン本体１０に対して開閉可能に設けられた蓋体２０とを備えたノートパソコンであり、
蓋体２０の枠部２１に、蓋体２０が開かれたときに、キーボード１１を照らす照明手段４０が設けられている。
【００１８】
このノートパソコン１によれば、
蓋体２０の枠部２１に、蓋体２０が開かれたときに、キーボード１１を照らす照明手段４０が設けられているので、周辺Ａが暗い環境でもキーボード１１の操作を行いやすいなる。
【００１９】
照明手段４０は、蓋体２０が開かれたときにＯＮするスイッチ（図示せず）により作動するように構成することもできるし、手動のスイッチ（キーボードの特定のキーを含む）で作動するように構成することもできる。図２において２３はディスプレイである。
【００２０】
このノートパソコン１は、図１，図２に示すように、
パソコン本体１０に設けられた明暗センサー５１と、
この明暗センサー５１により検出された明るさが、キーボード１１の操作に支障を来さない明るさ以下であるとき、照明手段４０による照明を行う制御部５０と、
を有している。
【００２１】
このように構成すると、パソコン使用環境Ａの明るさが、キーボード操作に支障を来さない明るさ以下であるとき（キーボード操作に支障を来す暗さであるとき）、明暗センサー５１および制御部５０の作動で、照明手段４０による照明がなされるので、照明手段４０のＯＮ／ＯＦＦ操作を行う必要がなくなる。
【００２２】
このノートパソコン１は、図１，図２に示すように、照明手段４０による照明Ｌの明るさを調整可能な可変スイッチ５２を備えている。
【００２３】
このように構成すると、使用者の好みに合わせて明るさを調整することができる。
【００２４】
可変スイッチ５２は、パソコン本体１０に関し、明暗センサー５１と反対側に設ける（図示のものは、明暗センサー５１は左側、可変スイッチ５２は右側に設けられている）。
【００２５】
このように構成すると、可変スイッチ５２を操作する手指の陰の影響が、明暗センサー５１に及ばない。
【００２６】
図３に示すように、照明手段４０は、ＬＥＤ等からなる光源４１と、リフレクタ４２で構成することができる。光源４１の取付位置およびリフレクタ４２の形状により、照明Ｌの範囲（図２，図３参照）は少なくともキーボード１１の全域を照らす範囲とする。
【００２７】
明暗センサー５１および制御部５０は、公知の適宜のもので構成することができる。
「キーボード１１の操作に支障を来さない明るさ」としての所定値は適宜設定可能である。例えば、８〜１００ルクス程度、より好ましくは１５〜５０ルクス程度の範囲で適宜設定することができる。
【００２８】
可変スイッチ５２は、公知の適宜の可変スイッチを採用することができる。
図示のものはスライド式であるが、回動式のものも採用可能である。
【００２９】
以上、本発明の実施の形態について説明したが、本発明は上記の実施の形態に限定されるものではなく、本発明の要旨の範囲内において適宜変形実施可能である。例えば、
【００３０】
上記の実施の形態では、明暗センサー５１はパソコン本体１０に設けたが、蓋体２０に設けることもできる。
【符号の説明】
【００３１】
１：    ノートパソコン
１０：    パソコン本来
１１：    キーボード
２０：    蓋体
２１：    枠部
４０：    照明手段
５０：    制御部
５１：    明暗センサー
５２：    可変スイッチ
【要約】
【課題】周辺が暗い環境でもキーボードの操作を行いやすいノートパソコンを提供する。
【解決手段】キーボード１１を有するパソコン本体１０に対して開閉可能に設けられた蓋体２０を備え、蓋体２０の枠部２１に、蓋体２０が開かれたときに、キーボード１１を照らす照明手段４０が設けられている。パソコン本体１０または蓋体２０に設けられた明暗センサー５１と、明暗センサー５１により検出された明るさが、キーボード１１操作に支障を来さない明るさ以下であるとき、照明手段４０による照明を行う制御部５０とを有している。照明手段４０による照明の明るさを調整可能な可変スイッチ５２を備えている。
【選択図】図１【図１】
0006716767.tif 000002
【図２】
0006716767.tif 000003
【図３】
0006716767.tif 000004